(57)【要約】【課題】データ収集条件を一元管理するＦＡ情報管理システム及びＦＡ情報管理情報を提供する。【解決手段】製品を製造する複数の工程を、これら各工程と接続したネットワークを用いて管理するＦＡ情報管理システム１００は、ネットワークのデータ伝送網に送出された、各工程において発生する現場情報の中から所望の情報を収集するための条件を設定する、１つの収集条件設定装置１５と、１つの収集条件設定装置１５に対して条件の設定を依頼する、複数のデータ取得装置１８と、収集条件設定装置１５によって設定された条件に基づいて、所望の情報を収集する、複数のデータ収集装置１６とを備える。データ取得装置１８は、１つの収集条件設定装置１５を介して、データ収集装置１６にデータの取得依頼を送信し、データ収集装置１６は、データの取得依頼に応じて、１つの収集条件設定装置１５を介して、所望の情報をデータ取得装置１８へ返信する。【選択図】図１
2006164182.tif 000002
【特許請求の範囲】
【請求項１】
製品を製造する複数の工程を、これら各工程と接続したネットワークを用いて管理するＦＡ情報管理システムであって、
前記ネットワークのデータ伝送網に送出された、前記各工程において発生する現場情報の中から所望の情報を収集するための条件を設定する、１つの収集条件設定装置と、
前記１つの収集条件設定装置に対して前記条件の設定を依頼する、複数のデータ取得装置と、
前記収集条件設定装置によって設定された条件に基づいて、前記所望の情報を収集する、複数のデータ収集装置とを備え、
前記データ取得装置は、前記１つの収集条件設定装置を介して、前記データ収集装置にデータの取得依頼を送信し、前記データ収集装置は、前記データの取得依頼に応じて、前記１つの収集条件設定装置を介して、前記所望の情報を前記データ取得装置へ返信することを特徴とするＦＡ情報管理システム。
【請求項２】
前記データ収集装置は、前記データの取得依頼を受信する以前から、前記所望の情報を収集することを特徴とする請求項１に記載のＦＡ情報管理システム。
【請求項３】
前記データ収集装置と前記データ取得装置とは、WWWシステムにおいて、情報の送受信を行うことを特徴とする請求項１又は２に記載のＦＡ情報管理システム。
【請求項４】
製品を製造する複数の工程を、これら各工程と接続したネットワークを用いて管理するＦＡ情報管理方法であって、
複数のデータ取得装置が、前記ネットワークのデータ伝送網に送出された、前記各工程において発生する現場情報の中から所望の情報を収集するための条件の設定を、１つの収集条件設定装置に対して依頼するステップと、
前記１つの収集条件設定装置が、複数のデータ収集装置に対して前記条件を設定するステップと、
複数のデータ収集装置が、前記収集条件設定装置によって設定された条件に基づいて、前記所望の情報を収集するステップと、
前記データ取得装置が、前記１つの収集条件設定装置を介して、前記データ収集装置にデータの取得依頼を送信するステップと、
前記データ収集装置が、前記データの取得依頼に応じて、前記１つの収集条件設定装置を介して、前記所望の情報を前記データ取得装置へ返信するステップと
を含むことを特徴とするＦＡ情報管理方法。
【発明の詳細な説明】
【技術分野】
【０００１】
本発明は、ＦＡ（Factory Automation）情報管理システム及びＦＡ情報管理方法に関する。
【背景技術】
【０００２】
ＦＡシステムにおける現場情報を収集する従来の方法としては、まず、人手によるものがある。すなわち、生産管理情報、工作機械等の稼働情報、製品の品質情報、故障情報等の種々の情報を、現場の作業者等にその収集を依頼するものである。
【０００３】
しかしながら、こうした人手による方法は、情報の収集に工数や時間を要する、多量の情報を集めることが難しい、また情報の収集や集計にミスが生じ易い、と言った問題がある。
【０００４】
そのため、最近では、ＦＡシステムのネットワーク上に設けた共有サーバと呼ばれる情報装置に上述した種々の情報を収集・記録してデータベース化すると共に、ネットワーク上に設けた情報収集端末より、利用者が共有サーバに記録されたデータベースにアクセスすることにより、情報を利用できるようになっている。
【０００５】
この方法は、利用するデータの種類や形式等が予め定められている定型業務を行うのには適している。しかしながら、新たな業務を追加する場合や、定型業務以外の方法で共有サーバ内の情報を利用する場合等においては、データベースの構造や内容が通常複雑なものであるため、利用者が自由かつ容易に情報を利用することが困難である。
【０００６】
また、多くの利用者が同時にこのデータベースにアクセスした場合、共有サーバに対する負荷のみならず、ＦＡシステム全体に対する負荷が上昇し、システム全体の動作に悪影響を及ぼすおそれがある。
【０００７】
このため、現場情報の中から所望の情報を収集するためのデータ収集条件を設定する、複数のデータ収集条件設定装置（クライアントＰＣ）と、データ収集条件に基づいて、所望の情報を収集する、複数のデータ収集管理装置（工程毎に配置されたデータ収集サーバ）とを設け、各データ収集条件設定装置と各データ収集管理手段とが、情報を送受信するＦＡシステムが開示されている（例えば、特許文献１参照。）。
【特許文献１】特許第３２０５５３８号公報
【発明の開示】
【発明が解決しようとする課題】
【０００８】
しかしながら、特許文献１に記載の発明では、複数のデータ収集条件設定装置が個別に、各データ収集管理装置に対してデータ収集条件を設定するため、各データ収集管理装置は、各データ収集条件設定装置に応じた情報の取得が必要となり、多大な負荷がかかっていた。
【０００９】
そこで、本発明は、上記の問題に鑑み、データ収集条件を一元管理することができるＦＡ情報管理システム及びＦＡ情報管理方法を提供することを目的とする。
【課題を解決するための手段】
【００１０】
上記課題を解決するために、本発明の第１の特徴は、製品を製造する複数の工程を、これら各工程と接続したネットワークを用いて管理するＦＡ情報管理システムであって、（ａ）ネットワークのデータ伝送網に送出された、各工程において発生する現場情報の中から所望の情報を収集するための条件を設定する、１つの収集条件設定装置と、（ｂ）１つの収集条件設定装置に対して条件の設定を依頼する、複数のデータ取得装置と、（ｃ）収集条件設定装置によって設定された条件に基づいて、所望の情報を収集する、複数のデータ収集装置とを備え、データ取得装置は、１つの収集条件設定装置を介して、データ収集装置にデータの取得依頼を送信し、データ収集装置は、データの取得依頼に応じて、１つの収集条件設定装置を介して、所望の情報をデータ取得装置へ返信するＦＡ情報管理システムであることを要旨とする。
【００１１】
第１の特徴に係るＦＡ情報管理システムによると、１つの収集条件設定装置を備え、当該収集条件設定装置がデータ収集条件を管理することにより、データ収集条件を一元管理することができる。
【００１２】
又、第１の特徴に係るＦＡ情報管理システムにおいて、複数のデータ収集装置は、データの取得依頼を受信する以前から、所望の情報を収集してもよい。
【００１３】
このＦＡ情報管理システムによると、データ取得装置は、過去のデータを取得することができる。
【００１４】
又、第１の特徴に係るＦＡ情報管理システムにおいて、データ収集装置とデータ取得装置とは、WWWシステムにおいて、情報の送受信を行ってもよい。
【００１５】
このＦＡ情報管理システムによると、Ｗｅｂ経由で情報の送受信を行うため、データ取得装置がＤＨＣＰに属したＰＣであり、ＩＰアドレスが変化したとしても、問題なく情報の送受信を行うことができる。又、Ｗｅｂ経由で情報の送受信を行うため、データ取得装置に専用プログラムのインストールをすることが不要となる。
【００１６】
本発明の第２の特徴は、製品を製造する複数の工程を、これら各工程と接続したネットワークを用いて管理するＦＡ情報管理方法であって、（ａ）複数のデータ取得装置が、ネットワークのデータ伝送網に送出された、各工程において発生する現場情報の中から所望の情報を収集するための条件の設定を、１つの収集条件設定装置に対して依頼するステップと、（ｂ）１つの収集条件設定装置が、複数のデータ収集装置に対して条件を設定するステップと、（ｃ）複数のデータ収集装置が、収集条件設定装置によって設定された条件に基づいて、所望の情報を収集するステップと、（ｄ）データ取得装置が、１つの収集条件設定装置を介して、データ収集装置にデータの取得依頼を送信するステップと、（ｅ）データ収集装置が、データの取得依頼に応じて、１つの収集条件設定装置を介して、所望の情報をデータ取得装置へ返信するステップとを含むＦＡ情報管理方法であることを要旨とする。
【００１７】
第２の特徴に係るＦＡ情報管理方法によると、１つの収集条件設定装置を備え、当該収集条件設定装置がデータ収集条件を管理することにより、データ収集条件を一元管理することができる。
【発明の効果】
【００１８】
本発明によれば、データ収集条件を一元管理するＦＡ情報管理システム及びＦＡ情報管理情報を提供することができる。
【発明を実施するための最良の形態】
【００１９】
次に、図面を参照して、本発明の実施の形態を説明する。以下の図面の記載において、同一又は類似の部分には、同一又は類似の符号を付している。ただし、図面は模式的なものであることに留意すべきである。
【００２０】
（ＦＡ情報管理システム）
本発明の実施の形態に係るＦＡ情報管理システム１００は、製品を製造する複数の工程を、これら各工程と接続したネットワークを用いて管理する。ＦＡ情報管理システム１００は、図１に示すように、ネットワークバス１１を備え、このネットワークバス１１には工場内の各製造工程（ここでは、その内の３工程を取り上げ、それぞれ工程Ａ，Ｂ，Ｃとする）に対応した製造装置（シーケンサを含む）１２、１３、１４ が接続される。また、ネットワークバス１１には、１つの収集条件設定装置１５、複数のデータ収集装置１６、複数のデータ取得装置１８が接続される。尚、データ取得装置１８については、ネットワークバス１１に直接接続しても良く、または外部に設けられており、図示しない通信回線によってネットワークバス１１と接続しても良い。
【００２１】
また、ネットワークバス１１には、シーケンサ（図示せず）が接続されており、このシーケンサが製造工程のラインとネットワークバス１１との間での信号のやりとりを制御している。シーケンサには、製造工程毎のシーケンスプログラムが記憶されており、各工程は、このシーケンサプログラムによって制御されている。
【００２２】
尚、各工程においては、PI/O(Parallel I/O)、SERVO 、SENSORが製造工程のラインに接続されており、シーケンサの指示により、これら機器が動作する。
【００２３】
また、ネットワークバス１１と製造工程のラインとの間には、情報伝達のための中継装置であるルータ１７が介在しており、機器の制御情報、生産管理情報、稼働情報、品質情報、製造条件情報、障害情報などの種々の現場情報が、ネットワークバス１１へ同報送信される。
【００２４】
また、本実施形態に係るＦＡ情報管理システムでは、WWWシステムにおいて、情報の送受信を行う。特に、データ収集装置１６とデータ取得装置１８との間でＷｅｂ経由で情報の送受信を行う。
【００２５】
データ取得装置１８（Client）は、各工場における現場情報を、これら現場情報の利用を意図する者が、利用者自身で設定したデータ収集条件に従って、現場情報を収集するために用いる。又、データ取得装置１８は、収集条件設定装置１５に対して、データ収集条件の設定を依頼する。ここで、データ収集条件とは、ネットワークのデータ伝送網に送出された、各工程において発生する現場情報の中から所望の情報を収集するための条件をいう。
【００２６】
データ取得装置１８は、ＦＡ情報管理システム１００にどのような情報が存在するかを一覧形式で表示し、利用者は、前述したように、所望の情報を収集するための条件を、データ取得装置１８を用いて、収集条件設定装置１５を介して、設定することができる。このデータ収集条件は、利用者がデータ取得装置１８より直接入力しても良く、あるいは他のコンピュータなどを用いて予め作製し、フレキシブルディスクなどの外部記憶装置に記憶させたデータファイルの形式としたものでも良い。
【００２７】
また、複数のデータ取得装置１８それぞれは、１つの収集条件設定装置１５を介して、複数のデータ収集装置１６それぞれにデータの取得依頼を送信する。そして、複数のデータ収集装置１６それぞれは、データの取得依頼に応じて、１つの収集条件設定装置１５を介して、所望の情報を複数のデータ取得装置１８それぞれへ返信する。
【００２８】
収集条件設定装置（カタログ管理サーバ）１５は、データ収集装置１６に対して、データ収集条件を設定する。具体的には、収集条件設定装置１５は、ネットワーク上のＵＤＰ信号の内、どの信号を受信し、格納するかという情報をカタログという設定ファイルに定義することで、データ収集条件を設定する。
【００２９】
収集条件設定装置１５は、図２に示すように、接続手段１５０ａと、収集条件設定手段１５０ｂと、現場情報取得手段１５０ｃとを備える。
【００３０】
接続手段１５０ａは、ネットワークバス１１との接続を行い、データ取得装置１８やデータ収集装置１６との情報の送受信を行う。
【００３１】
収集条件設定手段１５０ｂは、上述したように、データ取得装置１８から受信したデータ収集条件を管理し、データ収集装置１６に対してデータ収集条件を設定する。また、収集条件設定手段１５０ｂは、必要に応じて、複数のデータ取得装置１８から受信したデータ収集条件を統合してもよい。
【００３２】
現場情報取得手段１５０ｃは、データ収集装置１６が収集した現場情報を取得する。
【００３３】
本発明の実施の形態に係る収集条件設定装置１５は、処理制御装置（ＣＰＵ）１５０を有し、接続手段１５０ａ、収集条件設定手段１５０ｂ、現場情報取得手段１５０ｃをモジュールとして実現し、ＣＰＵ１５０に実行させる構成とすることができる。これらのモジュールは、パーソナルコンピュータ等の汎用コンピュータにおいて、所定のプログラム言語を利用するための専用プログラムを実行することにより実現することができる。又、ＣＰＵ１５０には、収集条件保持部１５１、現場情報保持部１５２、プログラム保持部１５３、入力部１５４、出力部１５５が接続されている。
【００３４】
収集条件保持部１５１は、データ取得装置１８から受信したデータ収集条件を保持する。
【００３５】
現場情報保持部１５２は、データ収集装置１６から受信した現場情報を保持する。
【００３６】
収集条件保持部１５１や現場情報保持部１５２は、ＲＡＭ等の内部記憶装置を用いても良く、ハードディスクやフレキシブルディスク等の外部記憶装置を用いても良い。
【００３７】
また、プログラム保持部１５３は、収集条件設定処理や、現場情報取得処理などをＣＰＵ１５０に実行させるための制御プログラムを保存する記憶媒体である。記録媒体は、例えば、ＲＡＭ、ハードディスク、フレキシブルディスク、コンパクトディスク、ＩＣチップ、カセットテープなどが挙げられる。このようなプログラムを保持した記録媒体によれば、プログラムの保存、運搬、販売などを容易に行うことができる。
【００３８】
また、入力部１５４は、キーボード、マウス等の機器を指す。入力部１５３から入力操作が行われると対応するキー情報が処理制御装置ＣＰＵ１５０に伝達される。
【００３９】
出力部１５５は、モニタなどの画面を指し、液晶表示装置（ＬＣＤ）、発光ダイオード（ＬＥＤ）パネル、エレクトロルミネッセンス（ＥＬ）パネル等が使用可能である。
【００４０】
データ収集装置１６（Agent）は、収集条件設定装置１５によって設定された条件に基づいて、工程毎に、所望の情報を収集する。このとき、データ収集装置１６は、データ取得装置１８から、データ取得依頼を受信する以前から、所望の情報を収集する。
【００４１】
データ収集装置１６は、図３に示すように、接続手段１６０ａと、収集条件取得手段１６０ｂと、現場情報収集手段１６０ｃとを備える。
【００４２】
接続手段１６０ａは、ネットワークバス１１との接続を行い、データ取得装置１８や収集条件設定装置１５との情報の送受信を行う。
【００４３】
収集条件取得手段１６０ｂは、収集条件設定装置１５から受信したデータ収集条件を取得し、収集条件保持部１６１に保存する
現場情報収集手段１６０ｃは、各装置（装置Ａ１２、装置Ｂ１３、装置Ｃ１４）が出力する現場情報を取得し、現場情報保持部１６２に保存する。現場情報収集手段１６０ｃが収集する現場情報は、図１に示すように、加工されていない生データ１１０、１１１、１１２である。
【００４４】
本発明の実施の形態に係るデータ収集装置１６は、処理制御装置（ＣＰＵ）１６０を有し、接続手段１６０ａ、収集条件取得手段１６０ｂ、現場情報収集手段１６０ｃをモジュールとして実現し、ＣＰＵ１６０に実行させる構成とすることができる。これらのモジュールは、パーソナルコンピュータ等の汎用コンピュータにおいて、所定のプログラム言語を利用するための専用プログラムを実行することにより実現することができる。又、ＣＰＵ１６０には、収集条件保持部１６１、現場情報保持部１６２、プログラム保持部１６３、入力部１６４、出力部１６５が接続されている。
【００４５】
収集条件保持部１６１は、収集条件設定装置１５から受信したデータ収集条件を保持する。
【００４６】
現場情報保持部１６２は、各装置から受信した現場情報を保持する。
【００４７】
収集条件保持部１６１や現場情報保持部１６２は、ＲＡＭ等の内部記憶装置を用いても良く、ハードディスクやフレキシブルディスク等の外部記憶装置を用いても良い。
【００４８】
また、プログラム保持部１６３は、収集条件取得処理や、現場情報収集処理などを処理制御装置ＣＰＵ１６０に実行させるための制御プログラムを保存する記憶媒体である。記録媒体は、例えば、ＲＡＭ、ハードディスク、フレキシブルディスク、コンパクトディスク、ＩＣチップ、カセットテープなどが挙げられる。このようなプログラムを保持した記録媒体によれば、プログラムの保存、運搬、販売などを容易に行うことができる。
【００４９】
また、入力部１６４は、キーボード、マウス等の機器を指す。入力部１６３から入力操作が行われると対応するキー情報がＣＰＵ１６０に伝達される。
【００５０】
出力部１６５は、モニタなどの画面を指し、液晶表示装置（ＬＣＤ）、発光ダイオード（ＬＥＤ）パネル、エレクトロルミネッセンス（ＥＬ）パネル等が使用可能である。
【００５１】
（ＦＡ情報管理方法）
次に、本実施形態に係るＦＡ情報管理方法について説明する。
【００５２】
まず、複数のデータ取得装置１８は、それぞれ、データ収集条件の設定を収集条件設定装置１５に対して依頼する。
【００５３】
次に、収集条件設定装置１５は、データ収集条件を統合し、複数のデータ収集装置１６それぞれに対してデータ収集条件を設定する。
【００５４】
データ収集条件が設定された時点から、各データ収集装置１６は、設定された条件に基づいて、所望の情報を収集する。
【００５５】
次に、各データ取得装置１８は、収集条件設定装置１５を介して、各データ収集装置１６にデータの取得依頼を送信する。このとき、データ取得装置１８とデータ収集装置１６間はＷｅｂによって情報をやりとりする。具体的には、データ取得装置１８の出力部には、図４に示すような画面が表示される。そして、データ取得装置１８の利用者が所望するデータにチェックする。次に、図５に示すような画面が表示され、データ取得装置１８の利用者が所望するデータの取得期間を指定する。
【００５６】
データ収集装置１６は、既にデータの収集を行っているため、図５の画面において、データ取得装置１８は、過去の日時に対するデータを指定してもよい。
【００５７】
次に、各データ収集装置１６は、データの取得依頼に応じて、収集条件設定装置１５を介して、所望の情報を各データ取得装置１８へ返信する。
【００５８】
このとき、データ収集装置１６が保持しているデータは、加工がされていない生データである。各データ取得装置１８は、生データを加工、分析して表示してもよく、データが経由する収集条件設定装置１５が生データを加工、分析し、処理後のデータをデータ取得装置１８に送信してもよい。
【００５９】
尚、生データの形式は、データ収集条件によって設定することができる。図１では、日時、各工程の製造装置の番号、製品種別を示すバーコードおよび製品および装置に関する複数のデータからなるが、他のデータでも構わない。又、データ収集装置１６によって、生データを加工した状態で保持し、データ取得装置１８に送信しても構わない。
【００６０】
データ取得装置１８に送信されたデータは、画面やプリンタに出力される。データ取得装置１８の利用者は、この結果に基づいて設備の改善や製造条件の変更、障害への対応などを行う。
【００６１】
（作用及び効果）
本実施形態に係るＦＡ情報管理システム及びＦＡ情報管理方法によると、１つの収集条件設定装置１５を備え、当該収集条件設定装置１５がデータ収集条件を管理するため、データ収集条件を一元管理することができる。従って、データ収集装置１６に余計な負荷がかかることがない。
【００６２】
又、本実施形態に係るＦＡ情報管理システムでは、データ収集装置１６は、データの取得依頼を受信する以前から、所望の情報を収集することができる。このため、データ取得装置１８は、データ取得依頼を送信する前の過去のデータをも取得することができる。このように、過去のデータも提供できるため、ＦＡ情報管理システム生産性向上、品質向上につながる。
【００６３】
又、本実施形態に係るＦＡ情報管理システムにおいて、データ収集装置１６とデータ取得装置１８とは、WWWシステムにおいて、情報の送受信を行う。
【００６４】
データ取得装置１８がＤＨＣＰに属したＰＣである場合、ＩＰアドレスが変化することがある。従来のＦＡ情報管理システムでは、データ収集装置１６がデータ取得依頼を行ってからＩＰアドレスが変化した場合、収集した現場情報をデータ収集装置１６に返信することができなかった。本実施形態では、Ｗｅｂ経由で情報の送受信を行うため、データ取得装置１８のＩＰアドレスが変化したとしても、問題なく情報の送受信を行うことができる。
【００６５】
又、従来のＦＡ情報管理システムでは、データ取得装置１８毎に、システムに対応した専用のプログラムをインストールする必要があった。本実施形態に係るＦＡ情報管理システムによると、Ｗｅｂ経由で情報の送受信を行うため、データ取得装置１８に専用プログラムのインストールをすることが不要となる。
【図面の簡単な説明】
【００６６】
【図１】本実施形態に係るＦＡ情報管理システムの構成ブロック図である。
【図２】本実施形態に係る収集条件設定装置の構成ブロック図である。
【図３】本実施形態に係るデータ収集装置の構成ブロック図である。
【図４】本実施形態に係るデータ取得装置が表示する画面例である（その１）。
【図５】本実施形態に係るデータ取得装置が表示する画面例である（その２）。
【符号の説明】
【００６７】
１１…ネットワークバス
１５…収集条件設定装置
１６…データ収集装置
１７…ルータ
１８…データ取得装置
１００…ＦＡ情報管理システム
１１０、１１１、１１２…生データ
１５０…ＣＰＵ
１５０ａ…接続手段
１５０ｂ…収集条件設定手段
１５０ｃ…現場情報取得手段
１５１…収集条件保持部
１５２…現場情報保持部
１５３…プログラム保持部
１５４…入力部
１５５…出力部
１６０…ＣＰＵ
１６０ａ…接続手段
１６０ｂ…収集条件取得手段
１６０ｃ…現場情報収集手段
１６１…収集条件保持部
１６２…現場情報保持部
１６３…プログラム保持部
１６４…入力部
１６５…出力部
【図１】
2006164182.tif 000003
【図２】
2006164182.tif 000004
【図３】
2006164182.tif 000005
【図４】
2006164182.tif 000006
【図５】
2006164182.tif 000007